(57)【要約】      （修正有）【課題】混合前の薬剤を患者に投与するのを防ぐことができる吊具カバーの提供。【解決手段】収容室４を手などで押圧して、収容室４の内圧を上昇させることで、易剥離シール仕切部２を開通させる。この時、吊具カバー１０の挟持部１１ａ、１１ｂが収容室４を挟持しているために、収容室４の内圧上昇に伴い一対の挟持部１１ａ、１１ｂが離間する方向に移動する。この挟持部１１ａ、１１ｂの移動に伴い、係合突起１３ａと係合穴１３ｂとの係合状態が解除され、挟持部１１ａ、１１ｂの挟持状態も解除される。そして、吊具カバー１０の挟持部１１ａ、１１ｂで塞がれていた掛吊部６が出現して使用可能となり、複室型輸液バッグ１を吊り下げることができるため、薬剤排出口５を刺入等によって開通させて、患者に混合後の薬剤を投入することができる。【選択図】図２
0003118291.tif 000002
【実用新案登録請求の範囲】
【請求項１】
易剥離シール仕切り部で隔てられた複数の収容室と該収容室から薬剤を排出する薬剤排出部とを有しており前記収容室を押圧することによって前記収容室の内圧上昇に応じて前記易剥離シール仕切り部を開通させる構成の複室型輸液バッグに装着され、前記易剥離シール仕切り部開通前に、前記輸液バッグ本体を吊り下げるための掛吊部を使用することを防止する吊具カバーであって、
前記収容室を挟持する一対の挟持部を有しており、
前記一対の挟持部は、前記収容室の内圧上昇に応じて前記一対の挟持部の挟持状態が解除されるまで互いに係合して前記挟持状態を保持する係合手段を有し、挟持状態において、前記掛吊部を閉鎖しており、
前記挟持状態の解除により、前記掛吊部が使用可能となることを特徴とする吊具カバー。
【請求項２】
前記挟持状態を解除することによって、前記輸液バッグ本体から取り外し可能であり、
前記掛吊部は、前記輸液バッグ本体に形成されており、
前記挟持状態において、前記掛吊部は前記一対の挟持部で閉鎖されていることを特徴とする請求項１に記載の吊具カバー。
【請求項３】
一方の挟持部は、前記掛吊部に嵌合する台座が形成されていることを特徴とする請求項２に記載の吊具カバー。
【請求項４】
一方の挟持部は、前記掛吊部に嵌合する係合突起が形成されており、
他方の挟持部は、前記係合突起と係合する係合孔が形成されており、
前記係合手段は、前記係合突起と前記係合孔とによって構成されることを特徴とする請求項１又は２に記載の吊具カバー。
【請求項５】
前記一対の挟持部は、互いに揺動自在に連結されていることを特徴とする請求項１〜４のいずれかに記載の吊具カバー。
【請求項６】
一方の挟持部は、輸液バッグ本体に固着されており、
前記掛吊部は、他方の挟持部に形成されており、該他方の挟持部は、前記一方の挟持部に対し開閉可能となるように揺動自在に連結されていることを特徴とする請求項１に記載の吊具カバー。
【請求項７】
前記一対の挟持部の各々から該挟持部が挟持する収容室上を延びる押圧防止部をさらに備え、
該押圧防止部の各々は、段差部を介して前記一対の挟持部の各々と連結することにより離間して配置されていることを特徴とする請求項１〜６に記載の吊具カバー。
【請求項８】
前記一対の挟持部は、互いにヒンジ部によって連結されていることを特徴とする請求項１〜７のいずれかに記載の吊具カバー。
【考案の詳細な説明】
【技術分野】
【０００１】
本考案は、易剥離シール仕切り部で仕切られた複数の収容室と薬剤排出部とを有する複室型輸液バッグに装着され、前記易剥離シール仕切り部開通前に前記輸液バッグ本体を吊り下げるための掛吊部を使用することを防止する吊具カバーに関するものである。
【背景技術】
【０００２】
静脈注射により患者に投与される薬剤の中には、予め配合すると経時変化を起こすような不安定な薬剤がある。経時変化としては、例えばアミノ酸輸液とブドウ糖輸液を配合して保存しておくと、褐変するいわゆるメイラード反応が挙げられる。また、脂肪乳剤と電解質溶液とを配合して保存しておくと、脂肪分が凝集を生じ、リン酸含有液とカルシウム含有液を配合しておくと、リン酸カルシウムの沈殿を生じ、望ましくない変化を起こす。
【０００３】
このような薬剤に対しては、次のような医療用複室容器が用いられることが多い。この医療用複室容器は、薬剤を収容する２つの収容室を備えたプラスチックフィルム製の容器本体と、この容器本体から薬剤を排出する薬剤排出部とを備えている。２つの収容室は、容器本体の内壁面同士を熱融着した易剥離シール仕切り部によって仕切られている。使用に際しては、いずれかの収容室の中央付近を押圧し、収容室内の圧力を高めて易剥離シール仕切り部を開封する。これによって両収容室が連通し、２つの薬剤が混合される。その後、薬剤排出部を刺入等によって開封し、容器本体を吊り下げて、混合後の薬剤を患者に投与する（例えば特許文献１）。上記容器では、易剥離シール仕切り部を開通させる前、すなわち薬剤を混合させる前に、薬剤排出部を刺入等によって開封して、混合前の薬剤を患者に投与しないように注意喚起表示が容器本体の表面に印刷等されている。
【特許文献１】特開平８−２２９０９９号公報
【考案の開示】
【考案が解決しようとする課題】
【０００４】
本考案は、混合前の薬剤を患者に投与するのをより効率的に防ぐことができる吊具カバーを提供することを課題とする。
【課題を解決するための手段】
【０００５】
前記課題を解決するため、本考案に係る吊具カバーは、易剥離シール仕切り部で隔てられた複数の収容室と該収容室から薬剤を排出する薬剤排出部とを有しており前記収容室を押圧することによって前記収容室の内圧上昇に応じて前記易剥離シール仕切り部を開通させる構成の複室型輸液バッグに装着され、前記易剥離シール仕切り部開通前に、前記容器本体を吊り下げるための掛吊部を使用することを防止する吊具カバーであって、前記収容室を挟持する一対の挟持部を有しており、前記一対の挟持部は、前記収容室の内圧上昇に応じて前記一対の挟持部の挟持状態が解除されるまで互いに係合して前記挟持状態を保持する係合手段を有し、挟持状態において、前記掛吊部を閉鎖しており、前記挟持状態の解除により、前記掛吊部が使用可能となることを特徴とする。
【０００６】
ここで、前記掛吊部は前記輸液バッグ本体に形成することができる。この場合は、吊具カバーは前記挟持状態を解除することによって、前記輸液バッグ本体から取り外し可能であり、前記掛吊部は、前記輸液バッグ本体に形成されており、前記挟持状態において、前記掛吊部は前記一対の挟持部で閉鎖されていることが好ましい。ここで、一方の挟持部は、前記掛吊部に嵌合する台座が形成されていてもよい。
【０００７】
なお、一方の挟持部は、前記掛吊部に嵌合する係合突起が形成されており、他方の挟持部は前記台座と係合する係合孔が形成されており、前記係合手段は、前記係合突起と前記係合孔とによって構成されることができる。一対の挟持部は、互いに揺動自在に連結されていることが好ましい。
【０００８】
また、前記掛吊部は吊具カバーに形成することもできる。この場合は、一方の挟持部は、輸液バッグ本体に固着されており、前記掛吊部は、他方の挟持部に形成されており、該他方の挟持部は、前記一方の挟持部に対し開閉可能となるように揺動自在に連結されていることが好ましい。
【０００９】
また、前記一対の挟持部から該挟持部が挟持する収容室上を延びる一対の押圧防止部をさらに備え、該一対の押圧防止部は、段差部を介して前記一対の挟持部と連結することにより離間して配置されていることもできる。
【００１０】
また、前記一対の挟持部は、互いにヒンジ部によって連結されていることが好ましい。
【考案の効果】
【００１１】
本考案によれば、易剥離シール仕切り部が開通する前、すなわち薬剤混合前は、前記掛吊部は使用不可能であるために容器本体を吊り下げることをできなくするので、混合前の薬剤を患者に投与することを防ぐことができる。
【考案を実施するための最良の形態】
【００１２】
以下、本考案に係る吊具カバーの実施形態について図面を参照しつつ説明する。なお、全図及び全実施形態を通し、同様の構成部分については同符号を付した。
【００１３】
まず、第１実施形態について、図１及び２に基づいて説明する。図１は、吊具カバーを複室型輸液バッグに取り付けた状態を示す平面図（ａ）及び側面図（ｂ）、図２は吊具カバーを複室型輸液バッグから取り外した状態を示す平面図（ａ）、及び側面図（ｂ）である。
【００１４】
図１及び２に示すように、複室型輸液バッグ１は、可撓性のある柔軟な透明プラスチック製であり、易剥離シール仕切り部２で隔てられた複数の収容室３，４と、薬剤排出部５とを有し、薬剤排出部５の反対側には該バッグ１を吊り下げるための掛吊部６が形成されている。輸液バッグ１は、収容室３，４の一方、又は双方を押圧すると、押圧された収容室の内圧が上昇し、内圧上昇に応じて易剥離シール仕切り部２が剥離して収容室３，４が開通する構成となっている。
【００１５】
このように構成された輸液バッグ１に、吊具カバー１０が装着されている。吊具カバー１０は一対の挟持部１１ａ，１１ｂを有しており、一方の挟持部１１ａには、掛吊部６に嵌合する台座１２が形成されており、該台座１２には係合突起１３ａが形成されている。また、他方の挟持部１１ｂには、係合突起１３ａと係合する係合穴１３ｂが形成されている。このように構成されているため、挟持部１１ａ、１１ｂを挟持させた状態では、係合突起１３ａと係合穴１３ｂとが係合することで、一対の挟持部１１ａ、１１ｂの挟持状態が保持される。なお、係合突起１３ａ及び係合穴１３ｂが本考案の係合手段に相当する。また、挟持部１１ａ、１１ｂが挟持された状態では、台座１２が掛吊部６に嵌合するため、吊具カバー１０の複室型輸液バッグ１に対する位置ズレを防止することができる。なお、一対の挟持部１１ａ、１１ｂが収容室４を挟持している範囲であれば多少の位置ズレは許容され得るので、台座１２を設けず、一方の挟持部１１ａから直接係合突起１３ａが延びていてもよい。一対の挟持部１１ａ、１１ｂは、ヒンジ部１７によって互いに揺動自在に連結されている。
【００１６】
吊具カバー１０の材質としては、プラスチックや金属等を挙げることができ、プラスチックとした場合は、一方の挟持部１１ａと他方の挟持部１１ｂとの連結部分を肉薄とすることで、ヒンジ部１７とすることができ、製造が容易となる。
【００１７】
次に、以上のように構成された吊具カバー１０の使用方法について説明する。
【００１８】
まず、図１に示すように、易剥離シール仕切り部２を開通させる前は、吊具カバー１０が複室型輸液バッグ１に装着されている。このとき、吊具カバー１０はその挟持部１１ａ、１１ｂで掛吊部６を塞ぐように装着されている。また、一対の挟持部１１ａ、１１ｂは収容室４を挟持している。なお、挟持部１１ａ、１１ｂの挟持状態は、上述したように、係合突起１３ａ及び係合穴１３ｂが係合することにより保持されている。
【００１９】
次に、収容室４を手などで押圧して、収容室４の内圧を上昇させることで、図２に示すように、易剥離シール仕切り部２を開通させる。このとき、吊具カバー１０の挟持部１１ａ、１１ｂが収容室４を挟持しているために、収容室４の内圧上昇に伴い一対の挟持部１１ａ、１１ｂが離間する方向に移動する。この挟持部１１ａ、１１ｂの移動に伴い、係合突起１３ａと係合穴１３ｂとの係合状態が解除され、挟持部１１ａ、１１ｂの挟持状態も解除される。そして、吊具カバー１０を複室型輸液バッグ１から取り外すことにより、吊具カバー１０の挟持部１１ａ、１１ｂで塞がれていた掛吊部６が出現して使用可能となり、複室型輸液バッグ１を吊り下げることができるため、薬剤排出口５を刺入等によって開通させて、患者に混合後の薬剤を投入することができる。
【００２０】
以上、本考案の第１実施形態について説明したが、本考案はこれらに限定されるものではなく、本考案の趣旨を逸脱しない限りにおいて種々の変更が可能である。
【００２１】
例えば、第１実施形態では、台座１２が掛吊部６と嵌合して吊具カバー１０の位置ズレを防止し、台座１２上の係合突起１３ａが係合穴１３ｂとして挟持部１１ａ、１１ｂの挟持状態を保持していたが、図３に示すように、係合突起１３ａを掛吊部６と嵌合するように形成し、台座１２を省略させることができる。このように、係合突起１３ａを掛吊部６と嵌合するような寸法とすることで、台座１２を形成することなく、吊具カバー１０の位置ズレを防ぐことができる。なお、係合突起１３ａの高さは他方の挟持部１１ｂの厚さの約１．１〜３倍が好ましい。このような高さとすることで、挟持部を無理にこじ開けようとすることを防ぐことができる。また、係合突起１３ａと係合穴１３ｂとの係合方法は、係合突起１３ａの外壁と係合穴１３ｂの内壁との摩擦によるものや、凹凸係合によるもの、テーパによる嵌合など種々の方法をとることができる。
【００２２】
次に、本考案に係る吊具カバーの第２実施形態について図４及び５に基づいて説明する。図４は、吊具カバーを複室型輸液バッグに取り付けた状態を示す平面図（ａ）及び側面図（ｂ）、図５は、吊具カバーを複室型輸液バッグから取り外した状態を示す平面図（ａ）、及び側面図（ｂ）である。
【００２３】
図４及び５に示すように、複室型輸液バッグ１には、上記第１実施形態と異なり、掛吊部が形成されておらず、後述する吊具カバー１０の係合突起１３ａ及び頭部付き係合突起１４ａが貫通するための穴が形成されている。その他は第１実施形態と同様の構成となっている。
【００２４】
このように構成された複室型輸液バッグ１に吊具カバー１０が装着されている。吊具カバー１０は、一対の挟持部１１ａ、１１ｂを有しており、該一対の挟持部１１ａ、１１ｂは互いに開閉可能となるように揺動自在にヒンジ部１７で連結されている。一方の挟持部１１ａは、係合突起１３ａ及び頭部付き係合突起１４ａを有する。なお、頭部付き係合突起１４ａの頭部は弾力性を有している。また、他方の挟持部１１ｂは、係合突起１３ａと係合する係合穴１３ｂと掛吊部１６とが形成されている。また、他方の挟持部１１ｂは、挟持状態を解除させた際に分離する押さえ部１５が形成されている。該押さえ部１５は、頭部付き係合突起１４ａと係合する係合穴１４ｂが形成されている。
【００２５】
次にこのように構成された吊具カバー１０の使用方法について説明する。
【００２６】
まず、図４に示すように、易剥離シール仕切り部２を開通させる前は、吊具カバー１０が複室型輸液バッグ１に装着されている。この吊具カバー１０を装着するときは、まず、一方の挟持部１１ａに形成された係合突起１３ａ及び頭部付き係合突起１４ａを、対応する複室型輸液バッグ１の穴にそれぞれ挿入させる。そして、吊具カバー１０をヒンジ部１７で折り曲げて、他方の挟持部１１ｂを一方の挟持部１１ａに接近させて、係合突起１３ａと係合穴１３ｂとを、また頭部付き係合突起１４ａと係合穴１４ｂとを係合させることにより、収容室４を挟持する一対の挟持部１１ａ、１１ｂの挟持状態を保持する（図４参照）。このとき、他方の挟持部１１ｂに形成された掛吊部１６は、複室型輸液バッグ１によって閉鎖されている。
【００２７】
次に、収容室４を手などで押圧することで、上記第１実施形態と同様に、一対の挟持部１１ａ、１１ｂは離間する方向に移動し、係合突起１３ａと係合穴１３ｂとの係合状態が解除され、挟持部１１ａ、１１ｂの挟持状態も解除される（図５参照）。ここで、第１実施形態と異なり、他方の挟持部１１ｂの押さえ部１５は、その係合穴１４ｂと頭部付き係合突起１４ａとの係合状態が頭部付き係合突起１４ａの頭部が有るために解除されないため、他方の挟持部１１ｂと分離し、一方の挟持部１１ａとで複室型輸液バッグ１を挟持した状態を保つ。このような構成であるため、吊具カバー１０は複室型輸液バッグ１から外れることがない。なお、吊具カバー１０はこのような構成に限定されるものではなく、吊具カバー１０の一方の挟持部１１ａが複室型輸液バッグ１から容易に外れないような構成で有ればよい。
【００２８】
そして、他方の挟持部１１ｂは、係合状態が解除されるため、一方の挟持部１１ａから離間する方向に開けることができ、よって、他方の挟持部１１ｂに形成された掛吊部１６が使用可能となる。
【００２９】
以上、本考案では、易剥離シール仕切り部２が開通するまで掛吊部６，１６の使用を防止する吊具カバー１０を、複室型輸液バッグ１に取り付けている。これによって、薬剤が混合されるまで複室型輸液バッグ１を吊り下げることができない、すなわち患者に薬剤を投与するために複室型輸液バッグ１を吊り下げるには、薬剤を混合させていなければならないため、混合前の薬剤を患者に投与することを確実に防止することができる。
【００３０】
なお、挟持部１１ａ、１１ｂの挟持状態を解除するのに必要な強度は、係合突起１３ａ、係合穴１３ｂの寸法を変更することで、調整することができる。この強度は、収容室４を押圧した際に、易剥離シール仕切り部２が開通するのとほぼ同時に挟持部の挟持状態を解除されるか、あるいは易剥離シール仕切り部２が先に開通する程度に調整されるのが好ましい。
【００３１】
以上、本考案の第１及び第２実施形態について説明したが、本考案はこれらに限定されるものではなく、本考案の趣旨を逸脱しない限りにおいて種々の変更が可能である。
【００３２】
例えば、図６に示すように、吊具カバー１０は、一対の挟持部１１ａ，１１ｂから収容室４上を延びる一対の押圧防止部１８ａ、１８ｂをさらに備えるよう構成することもできる。該一対の押圧防止部１８ａ、１８ｂは、段差部１９ａ、１９ｂを介して一対の挟持部１１ａ、１１ｂと連結することにより離間して配置されるよう構成されている。このように構成された押圧防止部１８ａ、１８ｂは、収容室４を誤って押圧することを防ぐことができる。また、吊具カバー１０の材質によっては、収容室３を押圧した際に挟持部の挟持状態がスムーズに解除できる一方、挟持部を無理にこじ開け難くなるという効果もある。なお、上述した構成の場合は、押圧防止部１８ａ、１８ｂが収容室４の大部分を覆うことができるよう、幅広であることが好ましい。
【図面の簡単な説明】
【００３３】
【図１】本考案の第１実施形態に係る吊具カバーを複室型輸液バッグに取り付けた状態を示す平面図（ａ）及び側面断面図（ｂ）である。
【図２】本考案の第１実施形態に係る吊具カバーを複室型輸液バッグから取り外した状態を示す平面図（ａ）及び側面断面図（ｂ）である。
【図３】本考案の他の第１実施形態に係る吊具カバーを複室型輸液バッグに取り付けた状態を示す平面図（ａ）及び側面断面図（ｂ）である。
【図４】本考案の第２実施形態に係る吊具カバーを複室型輸液バッグに取り付けた状態を示す平面図（ａ）及び側面断面図（ｂ）である。
【図５】本考案の第２実施形態に係る吊具カバーを複室型輸液バッグから取り外した状態を示す平面図（ａ）及び側面断面図（ｂ）である。
【図６】本考案の他の実施形態に係る吊具カバーを複室型輸液バッグに取り付けた状態を示す平面図（ａ）及び側面断面図（ｂ）である。
【符号の説明】
【００３４】
１  複室型輸液バッグ
２  易剥離シール仕切り部
３，４  収容室
５  薬剤排出部
６  掛吊部
１０  吊具カバー
１１  挟持部
１２  台座
１８  押圧防止部
１９  段差部
【図１】
0003118291.tif 000003
【図２】
0003118291.tif 000004
【図３】
0003118291.tif 000005
【図４】
0003118291.tif 000006
【図５】
0003118291.tif 000007
【図６】
0003118291.tif 000008